(57)【特許請求の範囲】
【請求項１】
複数並設された床板の裏面側に、桁材が同床板と直交する配置で複数固定されて成るスノコにおいて、
前記床板は、その裏面の長手方向に、後記のナット状部材が脱落せず長手方向に移動可能な形状の溝が設けられていること、
前記床板は、同床板に設けた前記溝に嵌めて移動可能に設置されたナット状部材と、下端に足部を有するねじ軸を前記ナット状部材へ上向きにねじ接続されたアジャスト部材とから成る支持脚に直接支持されていることを特徴とする、スノコ。
【請求項２】
床板には、その溝に設置されたナット状部材の直上位置に貫通孔が設けられ、同貫通孔は栓で塞がれていること、
前記ナット状部材には、鉛直方向に貫通する雌ねじが設けられていること、
前記アジャスト部材を構成する前記ねじ軸の上端面にはねじ回し溝が設けられていることを特徴とする、請求項１に記載したスノコ。
【請求項３】
床板に形成された溝に設置したナット状部材は、床板の貫通孔と一致する位置に接着されていることを特徴とする、請求項２に記載したスノコ。
【請求項４】
床板は、発泡ＰＳ原料、発泡ＡＢＳ原料、発泡ＡＡＳ原料、発泡ＡＥＳ原料等のスチレン系の発泡樹脂で製造されていることを特徴とする、請求項１〜３のいずれか一に記載したスノコ。
【請求項５】
床板に形成された溝とナット状部材の縦断面形状はともに倒立台形状であることを特徴とする、請求項１〜４のいずれか一に記載したスノコ。
【発明の詳細な説明】
【０００１】
【発明の属する技術分野】
この発明は、浴室の洗い場、調理場の床面へ敷いて使用されるスノコの技術分野に属し、更に云えば、段差や傾斜を解消するために好適に使用される高さ調節機能を有するスノコに関する。
【０００２】
【従来の技術】
近年、身障者や高齢者が暮らしやすいように、制度的、物理的、精神的な障壁（バリア）を取り除いて、障害を持つ人々が健常者と同じく暮らせるようにする所謂バリアフリーの要望が高まっている。このバリアフリー化の一つの手段として、段差がある床面を簡易かつ安価に段差を無くすことができるスノコが注目され社会的ニーズも高まっている。
【０００３】
ところで、従来のスノコは、図５に示したような、床板１０１と桁材１０２を組み合わせただけのものや、図６に示したような、床板１０１と桁材１０２の組み合わせに加えて桁材１０２の下面に高さ調節自在の支持脚１０３を取り付けたものなどが種々実施されている。
【０００４】
【本発明が解決しようとする課題】
しかしながら、図５に示したスノコは、その高さを調節することができないので、床面の段差を解消する用途には対応性がなく実施できないことが多かった。
【０００５】
図６に示したスノコは、高さの調節機能を有するので、前記した問題はない。しかし、桁材１０２の下面に支持脚１０３を取り付けた構造のゆえに、桁材１０２の高さ分だけは低床化することができず、５ｃｍ程度の僅かな段差を有する場所には適用できなかった。前記５ｃｍ程度の僅かな段差は、高齢者、特には車椅子を余儀なくされる身障者にとっては重大な問題であり、早急にスノコを低床化する必要があった。
【０００６】
また、スノコの支持脚１０３の設置位置も固定されているので、スノコを設置する際に、敷設する床面の障害物に起因してガタつきが発生することも少なくなく、新たに支持脚１０３の設置位置を設定し直すなど手間が掛かるという問題もあった。
【０００７】
したがって、本発明の目的は、設置場所に合わせて高さ寸法を簡易に調節できる上に、既往のものよりも更なる低床化を実現するとともに、支持脚の設置位置も容易に変えられるスノコを提供することにある。
【０００８】
【課題を解決するための手段】
上述した課題を解決するための手段として、請求項１に記載した発明に係るスノコは、
複数並設された床板の裏面側に、桁材が同床板と直交する配置で複数固定されて成るスノコにおいて、
前記床板は、その裏面の長手方向に、後記のナット状部材が脱落せず長手方向に移動可能な形状の溝が設けられていること、
前記床板は、同床板に設けた前記溝に嵌めて移動可能に設置されたナット状部材と、下端に足部を有するねじ軸を前記ナット状部材へ上向きにねじ接続されたアジャスト部材とから成る支持脚に直接支持されていることを特徴とする。
【０００９】
請求項２記載の発明は、請求項１に記載したスノコにおいて、床板には、その溝に設置されたナット状部材の直上位置に貫通孔が設けられ、同貫通孔は栓で塞がれていること、
前記ナット状部材には、鉛直方向に貫通する雌ねじが設けられていること、
前記アジャスト部材を構成する前記ねじ軸の上端面にはねじ回し溝が設けられていることを特徴とする。
【００１１】
請求項３記載の発明は、請求項２に記載したスノコにおいて、床板に形成された溝に設置したナット状部材は、床板の貫通孔と一致する位置に接着されていることを特徴とする。
【００１２】
請求項４記載の発明は、請求項１〜３のいずれか一に記載したスノコにおいて、床板は、発泡ＰＳ原料、発泡ＡＢＳ原料、発泡ＡＡＳ原料、発泡ＡＥＳ原料等のスチレン系の発泡樹脂で製造されていることを特徴とする。
【００１３】
請求項５記載の発明は、請求項１〜４のいずれか一に記載したスノコにおいて、床板に形成された溝とナット状部材の縦断面形状はともに倒立台形状であることを特徴とする。
【００１４】
【発明の実施の形態、および実施例】
図１と図２は、請求項１に記載したスノコの実施形態を示している。このスノコは、浴室の洗い場、調理場などへ略水平に設置できるほか、排水のために水勾配をもって傾斜した床面に設置しても高さ調節機能により上面を略水平状態にできる。また、床面に生じる大きな段差から５ｃｍ程度の僅かな段差を解消するために好適に適用される。
【００１５】
このスノコは、床板１と、同床板１を支持する高さの調節が自在な支持脚２と、桁材６とから成る。前記床板１は、その裏面側の長手方向に溝３が形成されている。前記高さ調節が自在な支持脚２は、前記溝３に嵌まって脱落せず、同溝３に沿って移動可能に設置されたナット状部材４と、同ナット状部材４へ上下動自在にねじ接続されたアジャスト部材５とで構成されている。
【００１６】
図示例のスノコは、床板１を５本並設し、その裏面側に直交する配置で、同床板１の長手方向へバランス良く配置した４本の桁材６でビス７により留めて一体化して実施されている。前記床板１を支持する支持脚２は、同床板１の両端部の長手方向に沿ってバランス良く４体ずつ計８体設置して実施されている。
【００１７】
なお、スノコの実施例は勿論これに限定されず、床板１、桁材６及び支持脚２の使用数は、スノコの敷設面積に応じてそれぞれ設計変更される。床板１の形状も長方形状に限定されない。前記桁材６の材質は金属製で実施されているが、もちろんこれに限定されない。また、前記桁材６は、ビス留め手段により床板１の裏面側に固定しているが、固定手段はこれに限定されない。
【００１８】
施工する場合、スノコはなるべく軽量であった方が良いが、人が乗るものであるから強度を要求される。そこで、床板１に溝３を形成して、床板１自体の剛性を確保しながら、軽量化を図っている。図示例では、床板１に形成した溝３は、１本の床板１の長手方向に沿って２列設けて実施され、当該溝３の形状は、成形のし易さを加味しながらナット状部材４が脱落しない機能を持ち、かつ、シンプルな形状を考え、倒立台形状に形成されている。因みに、この床板１は、接着可能な樹脂製とされ、軽量化・剛性・寸法安定性の観点から発泡ＰＳ原料、発泡ＡＢＳ原料、発泡ＡＡＳ原料、発泡ＡＥＳ原料等のスチレン系の発泡樹脂を使用することが好ましく、押し出し成形により製造される。
【００１９】
なお、床板１に形成する溝３について、１本の床板１に２列を設けて実施しているが、これに限定されず、床板１の所要面積に応じて１列設けて実施できるし３列以上設けても実施できる。
【００２０】
図示例のナット状部材４は、前記溝３の縦断面形状よりも少し小さい相似形状、即ち倒立台形状で、所要の耐力を保持するに必要な長さを有している（図３も参照）。よって、前記ナット状部材４は、前記溝３にほぼきっちり嵌め込むことができ、前記溝３の中間部で脱落することなく移動できるのである。
【００２１】
前記アジャスト部材５は、雄ねじを有するねじ軸５ａと足部５ｂとからなり、足部５ｂは、ねじ軸５ａに対して、傾くことが可能なように固定されているので、床面の傾斜に合わせて傾く構造となっている（図示は省略）。前記ナット状部材４は、鉛直方向に貫通する雌ねじを有しており、当該雌ねじにねじ込み可能な雄ねじを有する前記アジャスト部材５が、前記ナット状部材４に対して上下動自在にねじ込まれている。
【００２２】
したがって、前記ナット状部材４とアジャスト部材５とで構成された高さ調節自在の支持脚２は、必要に応じて、前記床板１に形成された溝３に沿って、隣り合う桁材６、６同士の間を脱落することなく移動できるのである。
【００２３】
また、前記アジャスト部材５を構成する回転自在なねじ軸５ａの上端面には−（マイナス）のねじ回し溝９が設けられており、前記床板１はその溝３に設置されたナット状部材４の直上位置に、前記アジャスト部材５のねじ軸５ａの外径より少し大径の貫通孔１０が設けられている。また、前記貫通孔１０の上端部は栓８で塞がれている。
【００２４】
この請求項２に係る発明によれば、予め設定された支持脚２の設置位置に障害物がなければ、スノコ（床板１）を裏返すことなく、床板１の上方からドライバーを前記貫通孔１０を通して前記ねじ回し溝９へ係止して回すことより高さ調整できるので、施工性が良い。また、施工時に貫通孔１０の直下から支持脚２の位置がずれると、裏返して再調整する手間が生じる為、支持脚２の位置ずれを防止するべく、床板１とナット状部材４との当接部は、床板の貫通孔１と一致する位置に接着されていることが好ましい。また、障害物があって、支持脚２の位置変更が生じた場合、床板１の変更位置に貫通孔１０を明け直して、その直下に支持脚２をずらすだけなので、特別な技能は必要ない。
【００２５】
以上に実施形態を図面に基づいて説明したが、本発明は、図示例の実施形態の限りではなく、その技術的思想を逸脱しない範囲において、当業者が通常に行う設計変更、応用のバリエーションの範囲を含むことを念のために言及する。例えば、前記溝３と支持脚２のナット状部材４の縦断面形状は、前記ナット状部材４が前記溝３から脱落せずに溝３に沿って移動可能な形状であれば倒立台形状に限定されず、例えば、図４Ａ、Ｂに示したように、凹凸状で互いに嵌め合う形状で実施しても良い。
【００２６】
【本発明が奏する効果】
請求項１〜５に記載した発明に係るスノコは、以下の効果を奏する。
１）床板を裏返すことなく床板の上方から高さ寸法を簡易に調節できるので施工性が良い。
２）床板に直接支持脚を取り付けて実施できるので、既往のスノコと比して、桁材の高さ分だけ低床化することができる。よって、５ｃｍ程度の僅かな段差でも十分に解消することができる。
３）支持脚の位置も容易に変えられるので、床面の障害物に起因するガタつきが発生することもなく、安定した状態で常に設置することができる。
【図面の簡単な説明】
【図１】本発明に係るスノコの実施形態を示した斜視図である。
【図２】本発明に係るスノコの実施形態の一部を示した正面図である。
【図３】本発明に係るスノコの実施形態の一部を示した分解斜視図である。
【図４】本発明に係るスノコの異なる実施形態を示した斜視図である。
【図５】従来技術を示した斜視図である。
【図６】従来技術を示した斜視図である。
【符号の説明】
１      床板
２      支持脚
３      溝
４      ナット状部材
５      アジャスト部材
６      桁材
７      ビス
８      栓
９      ねじ回し溝
１０      貫通孔
【図１】
0004173287.tif 000002
【図２】
0004173287.tif 000003
【図３】
0004173287.tif 000004
【図４】
0004173287.tif 000005
【図５】
0004173287.tif 000006
【図６】
0004173287.tif 000007